(57)【特許請求の範囲】
【請求項１】
ステムが昇降して開閉する昇降動バルブのボデーに、保温被覆を施こすことが可能な長さで、表示窓をあけた樹脂製の連結筒を介してアクチュエータを取付け、この連結筒の内部に樹脂製の昇降表示部材を昇降動自在に嵌入し、前記アクチュエータの移動部に設けた昇降表示部材の下部を前記ステムの上端に連設すると共に、前記昇降表示部材の外周面に施こした識別部の昇降動を前記連結筒の表示窓から視認してこのバルブの開閉を認知するようにしたことを特徴とする開度表示付きバルブ。
【請求項２】
前記連結筒に表示窓を多数設けたことを特徴とする請求項１記載の開度表示付きバルブ。
【請求項３】
上記連結筒をその上下端のねじ構造によって上記ボデー及びアクチュエータに接続した請求項１又は２記載の開度表示付きバルブ。
【請求項４】
上記昇降表示部材は、その昇降状態を上記表示窓から視認するための彩色を外周面に施こした円柱体であることを特徴とする請求項１乃至３の何れか１項に記載の開度表示付きバルブ。
【請求項５】
上記昇降動バルブはサーモスタティックバルブであり、上記アクチュエータはサーモワックスタイプである請求項１乃至４の何れか１項に記載の開度表示付きバルブ。
【発明の詳細な説明】
【０００１】
【発明の属する技術分野】
本発明は開度表示付きバルブに関し、主として空調用冷温水配管の制御に用いられるアクチュエータ付きバルブに関する。
【０００２】
【従来の技術】
従来の空調用冷温水配管の制御に用いられるアクチュエータ付きバルブには、開度表示付きでないものが比較的多く、試運転時やメンテナンス時に必要な開閉の認知ができないという不都合があった。
また、この種のバルブには十分な保温被覆をするスペースがなく、保温被覆がなされないか不十分な場合が多く、冷水配管においては、結露して滴下する水を受け止めるためにバルブの下にドレン受けを置く必要があった。
図４は、従来の空調用のアクチュエータ付きバルブの配管状態を示した外観図で、Ａはその保温被覆であって、バルブＢとアクチュエータＣとの距離が短く、冷水が流れる場合にアクチュエータの近くで結露し易く、また、開度表示機構を装着するスペースもないものであった。
【０００３】
【発明が解決しようとする課題】
本発明は、上記の実情に鑑みて開発したものであり、その目的とするところは、空調用冷温水配管の制御に用いられるアクチュエータ付きバルブの開閉を認知できること、及び結露対策の保温代を巻装できるようにすることにある。
【０００４】
【課題を解決するための手段】
本発明の開度表示付きバルブを、上記の目的を達成するために、次のように構成した。
【０００５】
ステムが昇降して開閉する昇降動バルブのボデーに、保温被覆を施こすことが可能な長さで、表示窓をあけた樹脂製の連結筒を介してアクチュエータを取付け、この連結筒の内部に樹脂製の昇降表示部材を昇降動自在に嵌入し、前記アクチュエータの移動部に設けた昇降表示部材の下部を前記ステムの上端に連設すると共に、前記昇降表示部材の外周面に施こした識別部の昇降動を前記連結筒の表示窓から視認してこのバルブの開閉を認知するようにした。
【０００６】
この場合、前記連結筒に表示窓を多数設けて多方向から眺められるようにしたり、上記連結筒をその上下端のねじ構造によって上記ボデー及びアクチュエータに接続するとよく、また、上記昇降表示部材は、その昇降状態を上記表示窓から視認するための彩色を外周面に施こした円柱体である。
【０００７】
また、上記昇降動バルブは、サーモスタティックバルブであり、上記アクチュエータは、サーモワックスタイプであると、極めて好適である。
【０００８】
【発明の実施の形態】
ステムの昇降によってバルブは開閉し、同時に、このステムに連設した昇降表示部材も昇降する。このため、連結筒の表示窓から目視し得る昇降表示部材の外周面の部位が、バルブの開閉に伴って異なるようになり、バルブの開閉を視認できる。
【０００９】
昇降表示部材の外周面の、昇った位置で表示窓から目視し得る部位と降った位置で表示窓から目視し得る部位とを、彩色などの識別部を施こして区別しておくことによって、表示窓から昇降表示部材の外周面を眺めてその昇降状態を視認し、このバルブの開閉を認知することが容易にでき、試運転時やメンテナンス時に有用である。
【００１０】
表示窓は、多方向から眺められるように連結筒の外周面の円周方向に多数設けるとよく、視認性をさらに向上させることができる。例えば、連結筒の外形を六角柱形にし、その六面の外平面のそれぞれに表示窓を設けると、他方向から対面する表示窓を通して昇降表示部材の昇降状態が視認できると共に、外径を回転のための工具掛かりに利用することができて、極めて便利である。
【００１１】
連結筒とボデーとの間及び連結筒とアクチュエータとの間の接続を、連結筒の上下端のねじ構造によるようにしたので、連結筒を回転させることによって、ボデーとの接続の脱着が極めて容易にでき、アクチュエータとの脱着も極めて簡単であり、配管状態での保全、点検が容易である。
【００１２】
バルブのボデーとアクチュエータとの間に連結筒を設けたので、ボデーに十分な保温被覆ができるようになり、かつ連結筒および昇降表示部材を樹脂製とすることにより結露を完全に防ぎ、バルブの下にドレン受けを置く必要がなくなる。なお、連結筒の長さは、適宜変更して製作することができるので、冷水用のバルブでは、上記のように完全に結露を防ぐための保温被覆ができるように長くし、温水用のバルブでは、必要最短の長さにすればよい。
【００１３】
なお、ヨーロッパ地域では、空調用冷温水配管の制御に、サーモワックス構造のアクチュエータを装着したサーモスタティックバルブが多く用いられ、熱を動力源とするアクチュエータであること、及びジスクにばねの弾発力が作用していて温度変化によってシール性が変化しないバルブであることから、極めて有用なものであるが、開度表示と十分な保温被覆をするための保温代とが備わっていない。
従って、この種のバルブに、本発明の開度表示機構を設けると、更に極めて有用なものになる。
【００１４】
図３は、本発明の開度表示付きバルブの配管状態を示した外観図で、バルブとアクチュエータとは中間に連結筒が介在して離れており、保温被覆Ａも十分に大きく施すことができ、結露することがない。
【００１５】
【実施例】
図１は、本発明の開度表示付きバルブの一実施例を示す一部断面正面図であって、バルブが全閉している状態を示している。また、図２は、図１に示したバルブが全開している状態を示す一部断面正面図である。
【００１６】
図１及び図２において、１は開度表示付きバルブ、２はボデー、３はアクチュエータ、４は連結筒、５はステム、６は昇降表示部材であり、ステム５が昇降してステム５の下端に固定したジスク７が昇降し、ジスクシート７ａがボデー２の弁座部２ａに離着してバルブ１を開閉する。
【００１７】
図１の状態からアクチュエータ３が、昇降表示部材６が上昇し得るように作動すると、ばね８の弾発力によってばね受け９を介してステム５と、ステム５に連設した昇降表示部材６を上昇させ、ステム５の下端のジスク７も上昇させてジスクシート７ａと弁座部２ａとの間を開いて、図２に示した全開状態になる。
アクチュエータ３の移動部（図示せず）と昇降表示部材６との間は、連結してある場合も、単に接触しているに過ぎない場合もある。本例では後者の場合で説明したが、前者の場合には、昇降表示部材６はアクチュエータ３によって引上げられ、ばね８の弾発力によってステム５を介して助勢されることになる。
【００１８】
連結筒４は、外径が六角形であり、内側の穴４ａは円筒形であって、この穴４ａに円柱体である昇降表示部材６がほぼ摺動するように嵌入している。
この昇降表示部材６の外周面に、例えば外周部６ａには赤色の、６ｂには白色のペンキが塗ってあって、連結筒４の６面の外平面のそれぞれに設けた表示窓４ｂから、図１に示した全閉の状態では外周部６ａの赤色が、図２に示した全開の状態では外周部６ｂの白色が視認されるようになっている。
【００１９】
連結筒４の上下端４ｃ及び４ｄはねじ構造になっていて、上端４ｃのねじ部にアクチュエータ３の下部の係止部３ａに係止したナット４ｅを螺着し、アクチュエータ３と、下端４ｄはボデー２のねじ部２ｂとねじ接続している。
なお、図中１０はグランドパッキンである。
【００２０】
次に、図１及び図２に示した実施例に基づいて、その作用を説明する。
アクチュエータ３の作動と、これに応じたばね８の作用によって、ステム５が、またジスク７が昇降してバルブ１を開閉する。同時に、昇降表示部材６も昇降して、表示窓４ｂから目視し得る昇降表示部材６の外周面６ａ，６ｂが白色であったり赤色であったりする。即ち、バルブ１が開閉すると同時に表示窓４ｂで見られる色が白色になったり赤色になったりして、バルブの開閉状態を示す。
これによって、バルブ１の開閉状態を認知することができ、試運転時やメンテナンス時に極めて有用である。
【００２１】
表示窓４ｂは、六角柱形の連結筒４の６面の外平面のいずれにも設けてあるので、バルブ１の周囲のいずれの方向からも、対面する表示窓４ｂから視認する昇降表示部材６の彩色によって、バルブ１の開閉状態を認知することができる。
また、連結筒４の六角柱形は、次に説明する連結筒４の接続のために、外径を回転のための工具掛かりに利用することができて、極めて便利である。
【００２２】
連結筒４とボデー２との間及び連結筒４とアクチュエータ３との間の接続を、連結筒４の上下端４ｃと４ｄのねじ構造によるようにしたので、連結筒４を回転させることによって、ボデー２との接続の脱着が極めて容易にでき、アクチュエータとの脱着も極めて簡単であり、配管状態での保全、点検が容易である。
【００２３】
バルブ１のボデー２とアクチュエータ３との間に連結筒４を設けたので、ボデー２に十分な保温被覆ができるようになり、かつ連結筒および昇降表示部材を樹脂製とすることにより結露を完全に防ぎ、バルブ１の下にドレン受けを置く必要がなくなる。なお、連結筒４の長さは、適宜変更して製作することもできるので、冷水用のバルブでは、上記のように完全に結露を防ぐための保温被覆ができるように長くし、温水用のバルブには、必要最短の長さにすればよい。
【００２４】
【発明の効果】
本発明の開度表示付きバルブは、以上に説明したように、バルブの開閉を認知することができるので、試運転時やメンテナンス時に極めて有用であり、冷水配管に用いても、十分に保温被覆することができて結露しないので、バルブの下にドレン受けを置く必要がなく、配管状態でアクチュエータや連結筒を容易に脱着することができ、保全や点検が容易である。
また、アクチュエータにバルブの開度表示を設けることなく、バルブとアクチュエータとの間に着脱自在に設けた連結筒の表示窓よりバルブの開閉表示を可能とし、特に、試運転時やメンテナンス時に有用であり、しかも、連結筒まで保温被覆しても、開度表示を視認することができると共に、連結筒は、バルブとアクチュエータとの間で着脱可能であるから、メンテナンス等が容易で、連結筒の装着作業も容易であり、更には、昇降表示部材と連結筒は樹脂製であるから、冷水バルブの場合、結露を確実に防ぎ、ボデーに十分な保温被覆を可能としたバルブを提供することができる。
【図面の簡単な説明】
【図１】本発明の開度表示着きバルブの一実施例を示したもので、バルブが全閉している状態を示す一部断面正面図である。
【図２】図１に示した開度表示付きバルブの全開している状態を示す一部断面正面図である。
【図３】本発明の開度表示付きバルブの配管状態を示す外観図である。
【図４】従来の空調用のアクチュエータ付きバルブの配管状態を示す外観図である。
【符号の説明】
１  開度表示付きバルブ
２  ボデー
３  アクチュエータ
４  連結筒
４ｂ  表示窓
５  ステム
６  昇降表示部材
【図１】
0003573951.tif 000002
【図２】
0003573951.tif 000003
【図３】
0003573951.tif 000004
【図４】
0003573951.tif 000005